(57)【要約】【課題】それぞれ２つの標本群のいずれかに属する標本の分布を表示する場合における、単位領域ごとの表示色として、２つの標本群それぞれに属する標本数の間の関係を示す色を決定する情報処理装置を提供する。【解決手段】それぞれ第１標本群又は第２標本群のいずれかに属する複数の標本のそれぞれについて、当該標本の情報として、座標空間上の位置を示す座標値を取得し、当該座標空間を分割してなる複数の単位領域のそれぞれについて、当該単位領域に座標値が含まれる標本のうち、第１標本群に属する標本の数と、第２標本群に属する標本の数と、を用いて、予め定められた色成分の値を算出することにより、当該単位領域を表す表示色を決定する情報処理装置である。【選択図】図２
2010039792.tif 000002
【特許請求の範囲】
【請求項１】
それぞれ第１標本群又は第２標本群のいずれかに属する複数の標本のそれぞれについて、当該標本の情報として、座標空間上の位置を示す座標値を取得する標本情報取得手段と、
前記座標空間を分割してなる複数の単位領域のそれぞれについて、当該単位領域に座標値が含まれる標本のうち、前記第１標本群に属する標本の数と、前記第２標本群に属する標本の数と、を用いて、予め定められた色成分の値を算出することにより、当該単位領域を表す表示色を決定する表示色決定手段と、
を含むことを特徴とする情報処理装置。
【請求項２】
前記複数の単位領域のそれぞれを前記決定された表示色で表す画像を出力する画像出力手段をさらに含む
ことを特徴とする請求項１記載の情報処理装置。
【請求項３】
前記表示色決定手段は、前記第１標本群に属する標本の数と、前記第２標本群に属する標本の数と、の大きさの違いの程度に応じて、前記予め定められた色成分の値を算出することにより、前記単位領域を表す表示色を決定する
ことを特徴とする請求項１又は２記載の情報処理装置。
【請求項４】
前記表示色決定手段は、前記単位領域に座標値が含まれる標本全体の数に対する前記第１又は第２標本群に属する標本の数の割合に応じて、前記予め定められた色成分の値を算出する
ことを特徴とする請求項３記載の情報処理装置。
【請求項５】
前記表示色決定手段は、前記第１標本群に属する標本の数と、前記第２標本群に属する標本の数と、の差に応じて、前記予め定められた色成分の値を算出する
ことを特徴とする請求項３記載の情報処理装置。
【請求項６】
前記表示色決定手段は、前記単位領域に座標値が含まれる標本全体の数に応じて、前記予め定められた色成分とは異なる他の色成分の値をさらに算出することにより、前記単位領域を表す表示色を決定する
ことを特徴とする請求項３から５のいずれか一項記載の情報処理装置。
【請求項７】
それぞれ第１標本群又は第２標本群のいずれかに属する複数の標本のそれぞれについて、当該標本の情報として、座標空間上の位置を示す座標値を取得する標本情報取得手段、及び
前記座標空間を分割してなる複数の単位領域のそれぞれについて、当該単位領域に座標値が含まれる標本のうち、前記第１標本群に属する標本の数と、前記第２標本群に属する標本の数と、の大きさの違いの程度に応じて、当該単位領域を表す表示色を決定する表示色決定手段、
としてコンピュータを機能させるためのプログラム。
【発明の詳細な説明】
【技術分野】
【０００１】
本発明は、情報処理装置及びプログラムに関する。
【背景技術】
【０００２】
各標本の情報が、座標空間（例えば２次元平面や３次元空間など）内の位置に対応する座標値によって表されるような複数の標本からなる情報がある。このような情報を分析する方法の一つとして、座標空間内の各標本に対応する位置に、予め定められた画像要素（例えば点を表す画像要素など）を配置した画像を生成する方法がある。このような画像を用いれば、各標本に対応する画像要素の散らばり具合などによって標本の分布状況を表現することができ、標本全体が持つ特徴を視覚的に把握することができる。
【０００３】
このような分析の対象となる情報としては、それぞれ２つの標本群のいずれかに分類される複数の標本の集合もある。この場合、例えば、２つの標本群のそれぞれについて、当該標本群に属する標本の分布を表す画像を前述したような方法で生成し、この各標本群の分布を表す画像を合成して、各標本群に属する標本の分布を比較するなどの方法により情報の分析を行うことが考えられる。この方法を用いる際には、例えば各標本群に対して互いに異なる色を対応させることによって、２つの標本群を色分けして表現する必要がある。なお、それぞれ複数種類の特性のいずれかを持つ情報について、各特性を互いに異なる色で色分けして表現する方法の一例が、特許文献１に記載されている。
【特許文献１】特開２００４−１５２１９９号公報
【発明の開示】
【発明が解決しようとする課題】
【０００４】
本発明は、それぞれ２つの標本群のいずれかに属する標本の分布を表示する場合における、単位領域ごとの表示色として、２つの標本群それぞれに属する標本数の間の関係を示す色を決定する情報処理装置及びプログラムを提供することを目的とする。
【課題を解決するための手段】
【０００５】
請求項１記載の発明は、情報処理装置であって、それぞれ第１標本群又は第２標本群のいずれかに属する複数の標本のそれぞれについて、当該標本の情報として、座標空間上の位置を示す座標値を取得する標本情報取得手段と、前記座標空間を分割してなる複数の単位領域のそれぞれについて、当該単位領域に座標値が含まれる標本のうち、前記第１標本群に属する標本の数と、前記第２標本群に属する標本の数と、を用いて、予め定められた色成分の値を算出することにより、当該単位領域を表す表示色を決定する表示色決定手段と、を含むことを特徴とする。
【０００６】
請求項２記載の発明は、請求項１記載の情報処理装置であって、前記複数の単位領域のそれぞれを前記決定された表示色で表す画像を出力する画像出力手段をさらに含むことを特徴とする。
【０００７】
請求項３記載の発明は、請求項１又は２記載の情報処理装置であって、前記表示色決定手段は、前記第１標本群に属する標本の数と、前記第２標本群に属する標本の数と、の大きさの違いの程度に応じて、前記予め定められた色成分の値を算出することにより、前記単位領域を表す表示色を決定することを特徴とする。
【０００８】
請求項４記載の発明は、請求項３記載の情報処理装置であって、前記表示色決定手段は、前記単位領域に座標値が含まれる標本全体の数に対する前記第１又は第２標本群に属する標本の数の割合に応じて、前記予め定められた色成分の値を算出することを特徴とする。
【０００９】
請求項５記載の発明は、請求項３記載の情報処理装置であって、前記表示色決定手段は、前記第１標本群に属する標本の数と、前記第２標本群に属する標本の数と、の差に応じて、前記予め定められた色成分の値を算出することを特徴とする。
【００１０】
請求項６記載の発明は、請求項３から５のいずれか一項記載の情報処理装置であって、前記表示色決定手段は、前記単位領域に座標値が含まれる標本全体の数に応じて、前記予め定められた色成分とは異なる他の色成分の値をさらに算出することにより、前記単位領域を表す表示色を決定することを特徴とする。
【００１１】
請求項７記載の発明は、それぞれ第１標本群又は第２標本群のいずれかに属する複数の標本のそれぞれについて、当該標本の情報として、座標空間上の位置を示す座標値を取得する標本情報取得手段、及び前記座標空間を分割してなる複数の単位領域のそれぞれについて、当該単位領域に座標値が含まれる標本のうち、前記第１標本群に属する標本の数と、前記第２標本群に属する標本の数と、の大きさの違いの程度に応じて、当該単位領域を表す表示色を決定する表示色決定手段、としてコンピュータを機能させるためのプログラムである。
【発明の効果】
【００１２】
請求項１及び７記載の発明によれば、それぞれ２つの標本群のいずれかに属する標本の分布を表示する場合における、単位領域ごとの表示色として、２つの標本群それぞれに属する標本数の間の関係を示す色が決定される。
【００１３】
請求項２記載の発明によれば、それぞれ２つの標本群のいずれかに属する標本の分布を、単位領域ごとに、２つの標本群それぞれに属する標本数の間の関係を示す色によって表す画像が出力される。
【００１４】
請求項３記載の発明によれば、単位領域ごとに、２つの標本群それぞれに属する標本数の大きさの違いの程度によって連続的に変化する色の中から、当該単位領域の表示色が決定される。
【００１５】
請求項４記載の発明によれば、単位領域ごとに、当該単位領域内にある標本全体の数に対するいずれか一方の標本群に属する標本数の割合によって連続的に変化する色の中から、当該単位領域の表示色が決定される。
【００１６】
請求項５記載の発明によれば、単位領域ごとに、２つの標本群それぞれに属する標本数の差によって連続的に変化する色の中から、当該単位領域の表示色が決定される。
【００１７】
請求項６記載の発明によれば、単位領域ごとに、当該単位領域内にある標本全体の数によって連続的に変化する色の中から、当該単位領域の表示色が決定される。
【発明を実施するための最良の形態】
【００１８】
以下、本発明の実施の形態について、図面を参照しながら説明する。
【００１９】
図１は、本発明の一実施形態に係る情報処理装置の構成例を示す図である。本実施形態に係る情報処理装置１は、例えばパーソナルコンピュータ等であって、制御部１１と、記憶部１２と、操作部１３と、表示部１４と、を含んで構成される。
【００２０】
制御部１１は、例えばＣＰＵ等であって、記憶部１２に格納されるプログラムに従って各種の情報処理を実行する。本実施形態において制御部１１が実行する処理の具体例については、後述する。
【００２１】
記憶部１２は、例えばＲＡＭやＲＯＭ等のメモリ素子、ハードディスクなどを含んで構成される。記憶部１２は、制御部１１によって実行されるプログラムや、各種のデータを保持する。また、記憶部１２は、制御部１１のワークメモリとしても動作する。
【００２２】
操作部１３は、例えばキーボードやマウス等であって、利用者の指示操作を受け付けて、当該指示操作の内容を制御部１１に出力する。表示部１４は、例えば液晶ディスプレイ等であり、制御部１１からの指示に従って、画像の表示を行う。
【００２３】
以下、情報処理装置１が実現する機能について、説明する。情報処理装置１は、機能的に、図２に示すように、標本情報取得部２１と、表示色決定部２２と、画像出力部２３と、を含んで構成される。これらの機能は、例えば制御部１１が記憶部１２に格納されているプログラムを実行することにより、実現される。このプログラムは、インターネット等の通信手段を介して提供されてもよいし、ＣＤ−ＲＯＭやＤＶＤ−ＲＯＭ等、各種のコンピュータ読み取り可能な情報記憶媒体に格納されて提供されてもよい。
【００２４】
標本情報取得部２１は、分析対象となる複数の標本のそれぞれについての情報を取得する。具体的に、例えば標本情報取得部２１は、予め記憶部１２に格納されたデータファイルを読み出したり、ユーザの操作部１３に対する入力操作を受け付けたりすることによって、各標本の情報を取得する。
【００２５】
ここで、複数の標本のそれぞれは、第１標本群又は第２標本群のいずれかに属している。さらに、標本情報取得部２１が取得する各標本の情報は、座標空間上の位置を示す座標値によって表される。この座標空間は、視覚的に表現されうる任意の次元の空間（例えば３次元空間など）であってよいが、以下の説明においては、この座標空間は２次元平面であることとする。この場合、座標空間内の位置は互いに直行するＸ軸及びＹ軸の２つの座標軸によって規定され、各標本の情報は、（ｘ，ｙ）のような形式で座標空間内の位置を示す２つの数値の組となる。
【００２６】
表示色決定部２２は、座標空間を分割してなる複数の単位領域（セル）のそれぞれについて、標本情報取得部２１が取得した標本の情報に基づいて、当該単位領域を表す表示色を決定する。ここで複数の単位領域は、座標空間を分割して得られる領域であって、互いに重ならず、かつ座標空間を隙間なく覆うように画定される。すなわち、座標空間内の任意の位置は、複数の単位領域のいずれか一つに属することとなる。具体例として、各単位領域は、Ｘ軸に平行で互いに等間隔に並ぶ複数の直線、及び、Ｙ軸に平行で互いに等間隔に並ぶ複数の直線によって、座標空間を格子状に分割することによって画定される領域であってよい。この場合、各単位領域は互いに同じ大きさの矩形の領域となる。また、単位領域は、有限の大きさの座標空間を予め定められた数に分割してなる領域であってもよい。なお、各単位領域の大きさや座標空間内に画定される単位領域の数は、第１標本群及び第２標本群に属する標本の数や、Ｘ軸及びＹ軸それぞれについての各標本の座標値のうちの最大値及び最小値などに応じて決定されてもよい。
【００２７】
具体的に、表示色決定部２２は、複数の単位領域のそれぞれについて、当該単位領域に座標値が含まれる標本のうち、第１標本群に属する標本の数（以下、第１標本数Ｎ１と表記する）、及び第２標本群に属する標本の数（以下、第２標本数Ｎ２と表記する）を、それぞれ計数する。そして、この第１標本数Ｎ１と、第２標本数Ｎ２と、を用いて当該単位領域を表す表示色を決定する。なお、座標値が単位領域内に含まれる標本が存在しない場合、すなわちＮ１＝Ｎ２＝０の場合、表示色決定部２２は、予め定められた背景色を当該単位領域の表示色として決定してもよい。
【００２８】
以下、表示色決定部２２が第１標本数Ｎ１及び第２標本数Ｎ２を用いてある単位領域（以下、注目単位領域と表記する）の表示色を決定する方法の具体例について、説明する。ここでは表示色決定部２２は、注目単位領域について計数された第１標本数Ｎ１と第２標本数Ｎ２との大きさの違いの程度に応じて、注目単位領域の表示色を決定するものとする。具体的には、第１標本数Ｎ１と第２標本数Ｎ２との大きさの違いの程度に応じて、予め定められた色成分の値を算出することにより、注目単位領域の表示色を決定する。ここで色成分は、予め定められた表色系により色を表す際に用いられるチャネルを指している。
【００２９】
一例として、表示色決定部２２が注目単位領域の表示色をＨＳＶ表色系により表される色として決定する場合、この算出される色成分の値は、色相値であってよい。具体的に、まず表示色決定部２２は、第１標本数Ｎ１と第２標本数Ｎ２との大きさの違いの程度を表す指標値Ｉを算出する。この場合の指標値Ｉは、例えば第１標本数Ｎ１と第２標本数Ｎ２との差（Ｎ１−Ｎ２）又は（Ｎ２−Ｎ１）であってよい。この例における指標値Ｉは、第１標本数Ｎ１と第２標本数Ｎ２との大きさの違いがないとき（すなわちＮ１＝Ｎ２のとき）に０となり、大きさの違いが大きくなるほど徐々に大きく、又は小さくなる。また、第１標本数Ｎ１と第２標本数Ｎ２との合計値（すなわち、注目単位領域に座標値が含まれる標本全体の数）を合計標本数Ｎｔ（＝Ｎ１＋Ｎ２）と表記することとすると、指標値Ｉは、合計標本数Ｎｔに対する第１標本数Ｎ１の割合Ｎ１／Ｎｔ又は合計標本数Ｎｔに対する第２標本数Ｎ２の割合Ｎ２／Ｎｔであってもよい。この例では、Ｎ１＝Ｎ２のときに指標値Ｉは１／２となり、Ｎ１とＮ２との大きさの違いが大きくなるにつれて指標値Ｉは徐々に大きく、又は小さくなる。なお、これらの例では、Ｎ１とＮ２との大きさの違いに応じて指標値Ｉが大きくなるか、あるいは小さくなるかは、Ｎ１とＮ２との大小関係によって決まっている。なお、指標値Ｉは、Ｎ１とＮ２との比（Ｎ１／Ｎ２）又は（Ｎ２／Ｎ１）に応じた値であってもよい。この場合、比の値が予め定められた上限値を超える場合には、この上限値を指標値Ｉとする。
【００３０】
指標値Ｉを算出すると、続いて表示色決定部２２は、算出された指標値Ｉと定数ａ，ｂとを用いて、（ａ・Ｉ＋ｂ）の値を色相値として算出する。ここで定数ａ及びｂは、指標値Ｉの最大値Ｉmax及び最小値Ｉminを、予め定められた色相値の上限値Ｈmax及び下限値Ｈminに対応づける値であってよい。指標値Ｉが合計標本数Ｎｔに対するＮ１又はＮ２の割合である場合、指標値Ｉの最大値Ｉmax及び最小値Ｉminは、それぞれ１及び０になる。また、指標値ＩがＮ１とＮ２との差である場合、最大値Ｉmax及び最小値Ｉminは、例えば各単位領域について実際に算出した指標値Ｉの中の最大値及び最小値であってよい。あるいは、標本全体の数などに応じて予め定められた固定値であってもよい。この場合、注目単位領域の指標値Ｉが固定値として予め定められた最大値Ｉmaxを超えたり、予め定められた最小値Ｉminを下回ったりするときには、それぞれ指標値Ｉは最大値Ｉmax又は最小値Ｉminであるとみなして、色相値を算出すればよい。
【００３１】
図３は、表示色決定部２２によって算出される色相値の範囲を説明するための図であって、色相環を表している。図３の例においては、色相環上に、色相値の上限値Ｈmax、下限値Ｈmin及び中間値Ｈmidが、それぞれ示されており、具体的には、上限値Ｈmaxが赤、下限値Ｈminが青、中間値Ｈmidが緑の色相にそれぞれ対応するものとする。指標値Ｉが（Ｎ１−Ｎ２）で算出される場合、第２標本数Ｎ２に対して第１標本数Ｎ１が大きければ大きいほど、指標値Ｉは最大値Ｉmaxに近づいていき、これに対応して注目単位領域の表示色は赤い色（色相値の上限値Ｈmax）に近づいていく。逆に第１標本数Ｎ１に対して第２標本数Ｎ２が大きければ大きいほど、注目単位領域の表示色は青い色に近づき、指標値Ｉ＝Ｉminの場合には色相値が下限値Ｈminになる。また、Ｎ１＝Ｎ２のときには、色相値はＨmidになり、表示色の色相は赤と青の中間の緑色になる。なお、指標値ＩがＮ１／Ｎｔで算出される場合にも、同様に第２標本数Ｎ２に対して第１標本数Ｎ１が大きくなるほど注目単位領域の表示色は連続的に赤い色に近づいていき、逆に第１標本数Ｎ１に対して第２標本数Ｎ２が大きくなるほど注目単位領域の表示色は青い色に近づいていくこととなる。
【００３２】
さらに、表示色決定部２２は、第１標本数Ｎ１と第２標本数Ｎ２との大きさの違いの程度に応じて算出される色成分（前述の例では色相）とは別の色成分の値を、合計標本数Ｎｔに応じてさらに算出し、この両者の色成分の値を用いて、表示色を決定してもよい。具体例として、前述したように注目単位領域の表示色をＨＳＶ表色系により表される色として決定する場合、表示色決定部２２は、Ｎ１とＮ２との大きさの違いの程度に応じて表示色の色相値を算出するとともに、これとは別の色成分として、彩度の値を合計標本数Ｎｔの大きさに応じて算出する。そして、この算出した色相値及び彩度値と、予め定められた明度値と、によって表される色を、注目単位領域の表示色として決定する。
【００３３】
例えば表示色決定部２２は、Ｎｔの値に定数ｃを乗じることによって、彩度値を算出する。このとき、Ｎｔ＝０（注目単位領域内に座標値が含まれる標本が一つもない場合）であれば、彩度値が０％になり、Ｎｔ最大値Ｎmaxになる場合には、彩度値が１００％になるように、定数ｃが予め決定されてもよい。この場合のＮｔの最大値Ｎmaxは、例えば各単位領域について実際に計数されたＮｔの値の中の最大値であってもよいし、あるいは標本全体の数などに応じて予め定められた固定値であってもよい。このようにして算出される彩度値を用いて注目単位領域の表示色が決定されることにより、注目単位領域の表示色は、Ｎ１とＮ２との大きさの違いの程度だけでなく、注目単位領域に含まれる標本全体の数をも反映した色になる。すなわち、例えばＮ１とＮ２とがほぼ同じ数である場合にも、注目単位領域に含まれる標本の数自体が小さければ、注目単位領域の表示色はくすんだ緑色になり、最終的に生成される分析用画像の中でこの単位領域は目立たなくなる。一方で、合計標本数Ｎｔが大きければ、表示色は鮮やかな緑色となり、分析用画像の中でこの単位領域は目立つようになる。
【００３４】
画像出力部２３は、複数の単位領域のそれぞれを、表示色決定部２２によって決定された表示色で表す分析用画像を出力する。具体的に、例えば画像出力部２３は、この分析用画像を記憶部１２に出力して記憶させてもよいし、表示部１４に表示させてもよい。また、通信ネットワークを介して他の情報処理装置に対して分析用画像を送信してもよい。
【００３５】
この分析用画像は、座標空間内の様子を示す画像であって、座標空間内における、第１標本群及び第２標本群のそれぞれに属する標本の分布の様子を示している。具体例として、分析用画像は、座標空間内の各単位領域が、表示色決定部２２によって決定された表示色で塗りつぶされた画像であってよい。あるいは、各単位領域に、表示色決定部２２によって決定された表示色の画像要素が配置された画像であってもよい。
【００３６】
一例として、標本情報取得部２１が取得した複数の標本の情報が、図４（ａ）及び図４（ｂ）の標本分布によって表されるようなものである場合に、画像出力部２３が出力する分析用画像の例について、説明する。図４（ａ）は、標本情報取得部２１が取得した各標本の情報のうち、第１標本群に属する標本の座標値の分布を示している。一方、図４（ｂ）は、第２標本群に属する標本の座標値の分布を示している。それぞれの標本の座標値は、丸印で示されている。また、これらの図における破線は、各単位領域の境界線を示している。破線によって示されるように、座標空間は４行４列の行列状に並ぶ計１６個の単位領域に分割されている。
【００３７】
この例において、画像出力部２３が出力する分析用画像は、例えば図５に示されるようなものになる。この図においては、図示の都合上、各単位領域の表示色の違いはハッチングによって示されている。具体的には、彩度をハッチングのピッチ（目の細かさ）で、色相をハッチングの傾き度合いで、それぞれ表している。すなわち、ピッチが狭いほど彩度が高く、ピッチが広いほど彩度が低いことを表している。なお、彩度０の単位領域（Ｎｔ＝０の単位領域）にはハッチングが付されていない。また、赤い色を右上から左下に向かう斜線によって、青い色を左上から右下に向かう斜線によって、それぞれ表しており、赤と青の中間の色相である緑色を、縦線によって表している。この図の例では、各単位領域に含まれる標本の数が多ければ多いほど彩度が高くなり、また各単位領域に含まれる標本全体の数に対する第１標本群に属する標本の数が多ければ多いほど赤い色に、逆に第２標本群に属する標本の数が多ければ多いほど青い色に色相が変化している。
【００３８】
次に、情報処理装置１が実行する処理の流れの具体例について、図６のフロー図に基づいて説明する。
【００３９】
まず、標本情報取得部２１が、処理の対象となる全標本の情報（座標値）を取得する（Ｓ１）。続いて、表示色決定部２２が、座標空間を複数の単位領域に分割して、各単位領域が座標空間内に占める範囲を画定する（Ｓ２）。
【００４０】
その後、表示色決定部２２及び画像出力部２３は、Ｓ２で分割された複数の単位領域のそれぞれを注目単位領域として、以下に説明する処理を繰り返し実行する。すなわち、まず複数の単位領域の中から処理の対象となる注目単位領域が選択される（Ｓ３）。続いて表示色決定部２２は、Ｓ３で選択された注目単位領域内に座標値が位置する標本の数（第１標本数Ｎ１及び第２標本数Ｎ２）を計数する（Ｓ４）。そして、Ｓ４で計数されたＮ１及びＮ２の値を用いて、指標値Ｉを算出する（Ｓ５）。さらに、Ｓ５で算出された指標値Ｉと、Ｓ４で計数されたＮ１及びＮ２を合計した合計標本数Ｎｔと、を用いて、注目単位領域の表示色を表す複数の色成分それぞれの値を算出する（Ｓ６）。これによって、注目単位領域の表示色が決定される。
【００４１】
続いて、画像出力部２３は、予め生成された座標空間内の様子を示す画像に対して、その注目単位領域に対応する箇所を、Ｓ６で決定された表示色で塗りつぶす（Ｓ７）。その後、全ての単位領域について上述した処理が実行されたか否か判定される（Ｓ８）。まだ表示色が決定されていない単位領域があれば、Ｓ３に戻って、まだ表示色が決定されていない単位領域が新たな注目単位領域として選択され、Ｓ４からＳ７までの処理が繰り返される。Ｓ８で全ての単位領域について処理が実行されたと判定された場合には、全ての単位領域がそれぞれの領域に含まれる標本の数に応じた色で塗りつぶされたことになり、分析用画像が完成して、処理が終了する。
【００４２】
なお、本発明の実施の形態は、以上説明したものに限られない。例えば、以上の説明においては、第１標本数Ｎ１と第２標本数Ｎ２との違いを表す指標値Ｉに応じて色相値を、また合計標本数Ｎｔに応じて彩度値を、それぞれ算出することとしたが、これ以外の色成分の値を算出することで表示色を決定することとしてもよい。また、ＨＳＶ表色系に限らず、ＲＧＢ表色系やＬ＊ａ＊ｂ＊表色系など、各種の表色系によって色を表す際の色成分を算出対象としてもよい。また、以上の説明においては、第１標本数Ｎ１と第２標本数Ｎ２との違いを表す指標値Ｉ、及び合計標本数Ｎｔの２つを色成分算出のための対象として用いたが、これ以外の値（例えば第１標本数Ｎ１や第２標本数Ｎ２そのもの）を各色成分を算出するための対象として用いてもよい。具体例として、表示色決定部２２がＲＧＢ表色系で表される色を各単位領域の表示色として決定する場合、第１標本数Ｎ１の大きさに応じてＲ（赤）の色成分値を、第２標本数Ｎ２の大きさに応じてＢ（青）の色成分値を、それぞれ算出することとしてもよい。この場合、Ｇ（緑）の色成分値を固定値としてもよいが、例えば合計標本数Ｎｔの大きさに応じて緑の色成分値を算出することとしてもよい。
【００４３】
また、以上の説明においては、情報処理装置１が分析用画像の生成、出力まで行うこととしたが、情報処理装置１は各単位領域について色成分値を算出することによって表示色の決定までを行い、決定した表示色を例えば通信ネットワークを介して他の情報処理装置に送信することとしてもよい。この場合、情報処理装置１から決定された表示色の情報を受信した他の情報処理装置が、分析用画像を生成して、表示画面に表示するなどの方法で利用者に提供してもよい。
【図面の簡単な説明】
【００４４】
【図１】本発明の実施の形態に係る情報処理装置の構成例を表す図である。
【図２】本発明の実施の形態に係る情報処理装置が実現する機能の一例を示す機能ブロック図である。
【図３】表示色決定部が算出する色相値の範囲を説明する図である。
【図４】第１標本群及び第２標本群に属する標本の分布の一例を示す図である。
【図５】画像出力部が出力する分析用画像の一例を示す図である。
【図６】本発明の実施の形態に係る情報処理装置が実行する処理の流れの一例を示すフロー図である。
【符号の説明】
【００４５】
１  情報処理装置、１１  制御部、１２  記憶部、１３  操作部、１４  表示部、２１  標本情報取得部、２２  表示色決定部、２３  画像出力部。
【図１】
2010039792.tif 000003
【図２】
2010039792.tif 000004
【図３】
2010039792.tif 000005
【図４】
2010039792.tif 000006
【図５】
2010039792.tif 000007
【図６】
2010039792.tif 000008